(57)【要約】【解決手段】本発明は、高圧側巻線と低圧側巻線とを含み、高圧電源からの高圧入力を低圧出力に変換する絶縁駆動手段と、絶縁駆動手段の高圧側巻線に直列接続された第１のスイッチ部を含む高圧入力手段と、第１端子が絶縁駆動手段の低圧側巻線に接続され、第２端子が外部からの出力イネーブル信号を受信するために用いられ、出力イネーブル信号がハイの場合、第３の端子が低圧給電電力を出力する出力制御手段と、高圧入力手段の第１のスイッチ部へスイッチ調整信号を出力するスイッチ調整手段と、第１端が高圧電源に接続され、第２端がスイッチ調整手段に接続され、スイッチ調整手段に始動電圧を提供する高圧始動手段と、第１端が絶縁駆動手段の低圧側巻線に結合され、第２端がスイッチ調整手段に接続され、スイッチ調整手段に電力を提供する補助電源手段と、を含む給電装置を提供している。【選択図】図１
2021512581.tif 000002
【特許請求の範囲】
【請求項１】
高圧側巻線と低圧側巻線とを含み、高圧電源からの高圧入力を低圧出力に変換する絶縁駆動手段と、
前記絶縁駆動手段の高圧側巻線に直列接続された第１のスイッチ部を含む高圧入力手段と、
第１端子が前記絶縁駆動手段の低圧側巻線に接続され、第２端子が外部からの出力イネーブル信号を受信するために用いられ、前記出力イネーブル信号がハイの場合、第３の端子が低圧給電電力を出力する出力制御手段と、
前記高圧入力手段の前記第１のスイッチ部へスイッチ調整信号を出力するスイッチ調整手段と、
第１端が前記高圧電源に接続され、第２端が前記スイッチ調整手段に接続され、前記スイッチ調整手段に始動電圧を提供する高圧始動手段と、
第１端が前記絶縁駆動手段における低圧側巻線に結合された補助給電巻線に接続され、第２端が前記スイッチ調整手段に接続され、前記スイッチ調整手段に電力を提供する補助電源手段と、を含む、
ことを特徴とする給電装置。
【請求項２】
前記高圧入力手段は、前記絶縁駆動手段の高圧側巻線に並列接続された吸収回路と、前記スイッチ調整手段に接続され、サンプリング信号を出力するサンプリング素子と、をさらに含み、
前記スイッチ調整手段は、前記サンプリング素子からの前記サンプリング信号に基づいて、前記高圧入力手段へスイッチ調整信号を出力する、
ことを特徴とする請求項１に記載の給電装置。
【請求項３】
前記吸収回路は、第１の抵抗と、第１のコンデンサと、第１のダイオードとを含み、前記第１の抵抗と第１のコンデンサとが並列接続されると共に、前記第１のダイオードの負極に接続されており、
前記第１のスイッチ部は、ソースが前記絶縁駆動手段の高圧側巻線に接続され、ゲートが前記スイッチ調整手段に接続され、前記スイッチ調整手段からのスイッチ調整信号を受信するための第１のＭＯＳトランジスタを含み、
前記サンプリング素子は、一端が前記第１のＭＯＳトランジスタのドレインに接続され、他端が高圧側リファレンスグランドに接続された第２の抵抗を含む、
ことを特徴とする請求項２に記載の給電装置。
【請求項４】
前記出力制御手段は、前記絶縁駆動手段の低圧側巻線に接続された出力フィルタリング部と、前記出力フィルタリング部の出力端に接続され、第２のスイッチ部を介して低圧電力を出力する出力部と、前記出力イネーブル信号がハイの場合、前記出力部の前記第２のスイッチ部をオンにする出力イネーブル制御部と、を含む、
ことを特徴とする請求項１に記載の給電装置。
【請求項５】
前記出力制御手段の前記出力部は、正極が前記出力フィルタリング部の出力端に接続され、負極が前記第２のスイッチ部のソースに接続された第２のダイオードと、前記第２のスイッチ部のソースとゲートとの間に並列接続された第３のダイオード及び第３の抵抗と、をさらに含み、前記第３のダイオードの負極が前記第２のスイッチ部のソースに接続されており、
前記出力イネーブル制御部は、ゲートがイネーブル信号入力端子に接続され、ソースが前記第２のスイッチ部のゲートに接続され、ドレインが低圧側リファレンスグランドに接続された第３のスイッチ部を含む、
ことを特徴とする請求項４に記載の給電装置。
【請求項６】
前記補助電源手段は、第４のダイオード及び第２のコンデンサを含み、前記絶縁駆動手段の前記補助給電巻線から出力された補助電源に対してフィルタリングを行う補助フィルタリング部と、正極が前記補助フィルタリング部の出力端に接続され、負極が前記スイッチ調整手段に接続された第５のダイオードと、を含む、
ことを特徴とする請求項１に記載の給電装置。
【請求項７】
前記高圧始動手段は、ソースが第４の抵抗を介して前記高圧電源に接続され、ゲートが第５の抵抗を介して前記高圧電源に接続され、ドレインが前記スイッチ調整手段に接続された第３のスイッチ部と、負極が前記第３のスイッチ部のゲートに接続され、正極が高圧側リファレンスグランドに接続された第１の電圧安定化部と、一端が前記スイッチ調整手段に接続され、他端が前記電圧安定化部の正極に接続された充電素子と、を含む、
ことを特徴とする請求項６に記載の給電装置。
【請求項８】
結合された発光部と受光部とを含む絶縁信号手段と、
第１端が前記出力制御手段に接続され、第２端が前記発光部に接続され、前記発光部を前記出力制御手段の出力レベルに応じて発光させる出力フィードバック手段と、をさらに含み、
前記受光部は、前記スイッチ調整手段に接続され、受信された光信号を電気信号に変換して前記スイッチ調整手段に提供する、
ことを特徴とする請求項１に記載の給電装置。
【請求項９】
前記出力フィードバック手段は、前記出力制御手段の出力フィルタリング部の出力端に接続され、前記出力フィルタリング部の出力電圧を分圧する分圧部と、前記分圧部の出力電圧を基準電圧とする第２の電圧安定化部と、前記第２の電圧安定化部の負極電圧を調整する電圧調整部とを含む、
ことを特徴とする請求項８に記載の給電装置。
【請求項１０】
前記スイッチ調整手段は、
始動電圧及び動作電力を受けるための給電入力ポート、前記高圧入力手段からのサンプリング信号を受信するためのサンプリング信号入力ポート、高圧入力手段へスイッチ調整信号を出力するためのスイッチ調整信号出力ポート、前記絶縁信号手段の前記受光部からのフィードバック信号を受信するためのフィードバック信号入力ポート、スイッチ周波数設定ポート及び補償制御ポートを含む調整部と、
一端が前記スイッチ周波数設定ポートに接続され、他端が高圧側リファレンスグランドに接続されたスイッチ周波数設定部と、
一端が前記補償制御ポートに接続され、他端が高圧側リファレンスグランドに接続され、前記スイッチ調整手段に対して補償制御を行う補償制御部と、を含み、
前記絶縁信号手段の前記受光部は、前記スイッチ調整手段の前記フィードバック信号入力ポートに接続されている、
ことを特徴とする請求項８に記載の給電装置。
【請求項１１】
前記高圧側リファレンスグランドは、前記高圧電源の高圧入力負極であり、前記低圧側リファレンスグランドは、低圧出力端の低圧出力負極である、
ことを特徴とする請求項３、７、１０のいずれか一項に記載の給電装置。
【請求項１２】
請求項１〜１１のいずれか一項に記載の給電装置と、
コントローラへの正常な給電を確保する場合に、出力イネーブル信号を前記給電装置に出力する制御端と、を含む、
ことを特徴とする車両コントローラ用バックアップ電源。
【発明の詳細な説明】
【技術分野】
【０００１】
本発明は、コントローラ電源の冗長性及び制御安全性に有益な給電装置、及び車両コントローラ用バックアップ電源に関する。
【背景技術】
【０００２】
自動車の動力の分野では、車両全体の動力のコアコンポーネントとしてのコントローラは、その制御の安全性が特に重要なものである。従来のコントローラの低圧制御給電のほとんどは、車両全体の低圧バッテリ及びＤＣ／ＤＣが給電入力とされている。
【０００３】
現在、この分野では、コントローラの内部の低圧制御給電に使用される他のバックアップ電源もある。従来の車両全体のシステムが比較的複雑であるため、１００％安全で信頼できるわけではない。その一方で、モータとコントローラとは車両全体の中で非常に重要な位置を占めており、現在の市場では運転の安全性に対する要求が高くなっている。製品の性能を信頼性及び安全性のより高いものにするために、コントローラ内部には、それに応じる措置を追加する必要があり、多くの自動車メーカは、機能安全を満たす設計要件及び指標を提案している。
【発明の概要】
【発明が解決しようとする課題】
【０００４】
上記状況に鑑み、本発明は、上記問題を解決するために、モータコントローラ用の高電圧を低電圧に変換するバックアップ電源給電回路設計を提供すると共に、コントローラ内部でバックアップ電源として用いられる技術案を提供することを目的とする。
【課題を解決するための手段】
【０００５】
本発明の第１の態様は、
高圧側巻線と低圧側巻線とを含み、高圧電源からの高圧入力を低圧出力に変換する絶縁駆動手段と、
前記絶縁駆動手段の高圧側巻線に直列接続された第１のスイッチ部を含む高圧入力手段と、
第１端子が前記絶縁駆動手段の低圧側巻線に接続され、第２端子が外部からの出力イネーブル信号を受信するために用いられ、前記出力イネーブル信号がハイの場合、第３の端子が低圧給電電力を出力する出力制御手段と、
前記高圧入力手段の前記第１のスイッチ部へスイッチ調整信号を出力するスイッチ調整手段と、
第１端が前記高圧電源に接続され、第２端が前記スイッチ調整手段に接続され、前記スイッチ調整手段に始動電圧を提供する高圧始動手段と、
第１端が前記絶縁駆動手段の低圧側巻線に結合され、第２端が前記スイッチ調整手段に接続され、前記スイッチ調整手段に電力を提供する補助電源手段と、を含むことを特徴とする給電装置である。
【０００６】
本発明の第１の態様の給電装置によれば、低圧給電が故障した場合に、外部からの出力イネーブル信号に応じて、内部回路を介して高圧バッテリから必要な低圧電源を適時に供給することができる。さらに、高電圧始動手段によってスイッチ調整手段に始動電圧を提供し、スイッチ調整手段が動作し始めた後、補助電源手段によってスイッチ調整手段に動作電源を提供する。補助電源手段が絶縁駆動手段の低圧側巻線に結合されており、絶縁駆動手段が高圧電源を低圧に変換して出力する作業を行う場合、絶縁駆動手段の低圧側巻線に電流が流れ、補助電源手段へ給電される。絶縁駆動手段が高圧電源を低圧に変換して出力する作業を行わない場合、絶縁駆動手段の低圧側巻線に電流が流れず、補助電源手段へ給電されない。これにより、出力制御手段の出力状態に応じてスイッチ調整手段の動作状態を制御することができ、出力イネーブル信号を受信していない場合は、スイッチ調整手段に動作電力が供給されず、出力イネーブル信号を受信した場合は、スイッチ調整手段に動作電力が供給される。
【０００７】
本発明の第２の態様の給電装置は、第１の態様の給電装置において、
前記高圧入力手段は、前記絶縁駆動手段の高圧側巻線に並列接続された吸収回路と、前記スイッチ調整手段に接続され、サンプリング信号を出力するサンプリング素子とをさらに含み、
前記スイッチ調整手段は、前記サンプリング素子からの前記サンプリング信号に基づいて、前記高圧入力手段へスイッチ調整信号を出力することを特徴とする。
【０００８】
本発明の第２の態様の給電装置によれば、吸収回路を用いてノイズによる干渉を低減し、サンプリング素子を用いて高圧入力手段の電圧をサンプリングしてスイッチ調整手段にフィードバックして、出力電圧の過電流保護及び閉ループフィードバック制御を実現し、出力電源の安定性を確保することができる。
【０００９】
本発明の第３の態様の給電装置は、第２の態様の給電装置において、
前記吸収回路は、第１の抵抗と、第１のコンデンサと、第１のダイオードとを含み、前記第１の抵抗と第１のコンデンサとが並列接続されると共に、前記第１のダイオードの負極に接続されており、
前記第１のスイッチ部は、ソースが前記絶縁駆動手段の高圧側巻線に接続され、ゲートが前記スイッチ調整手段に接続され、前記スイッチ調整手段からのスイッチ調整信号を受信するための第１のＭＯＳトランジスタを含み、
前記サンプリング素子は、一端が前記第１のＭＯＳトランジスタのドレインに接続され、
他端が高圧側リファレンスグランドに接続された第２の抵抗を含むことを特徴とする。
【００１０】
本発明の第３の態様の給電装置によれば、第１のＭＯＳトランジスタによって高圧入力手段のスイッチ回路を構成し、スイッチ調整手段により高圧入力手段の出力を容易に制御でき、出力電源の安定性を確保できる。
【００１１】
本発明の第４の態様の給電装置は、第１の態様の給電装置において、
前記出力制御手段は、前記絶縁駆動手段の低圧側巻線に接続された出力フィルタリング部と、前記出力フィルタリング部の出力端に接続され、第２のスイッチ部を介して低圧電力を出力する出力部と、前記出力イネーブル信号がハイの場合、前記出力部の前記第２のスイッチ部をオンにする出力イネーブル制御部と、を含むことを特徴とする。
【００１２】
本発明の第４の態様の給電装置によれば、出力フィルタリング部によって、絶縁駆動手段から出力された低圧電力に対してフィルタリングを行い、出力電源の安定性を確保できる。さらに、第２のスイッチ部が低圧電力を出力することにより、出力イネーブル信号がハイの場合に、第２のスイッチ手段をオンにして、出力イネーブル信号に基づいて低圧電力を出力することができる。
【００１３】
本発明の第５の態様の給電装置は、第４の態様の給電装置において、
前記出力制御手段の前記出力部は、正極が前記出力フィルタリング部の出力端に接続され、負極が前記第２のスイッチ部のソースに接続された第２のダイオードと、前記第２のスイッチ部のソースとゲートとの間に並列接続された第３のダイオード及び第３の抵抗と、をさらに含み、前記第３のダイオードの負極が前記第２のスイッチ部のソースに接続されており、
前記出力イネーブル制御部は、ゲートがイネーブル信号入力端子に接続され、ソースが前記第２のスイッチ部のゲートに接続され、ドレインが低圧側リファレンスグランドに接続された第３のスイッチ部を含むことを特徴とする。
【００１４】
本発明の第５の態様の給電装置によれば、第２のダイオードを用いて、低圧電力出力が単方向の給電となることを確保し、正常な給電電流の逆流を防止している。出力イネーブル信号がハイレベルのとき、第３のスイッチ部がオンになり、この際、第２のスイッチ部のＶｇｓ＜０となり、第２のスイッチ部がオンになることで、出力制御手段の出力部がオンになり、コントローラに給電できる。
【００１５】
本発明の第６の態様の給電装置は、第１の態様の給電装置において、
前記補助電源手段は、補助フィルタリング部と第４のダイオードとを含み、前記補助フィルタリング部の第１端が前記絶縁駆動手段の低圧側巻線に結合され、前記補助フィルタリング部の第２端が前記第４のダイオードの正極に接続され、前記第４のダイオードの負極が前記スイッチ調整手段に接続されていることを特徴とする。
【００１６】
本発明の第６の態様の給電装置によれば、高圧入力側に電源出力を追加することができ、スイッチ調整手段の動作開始後、スイッチ調整手段に安定した給電入力を提供でき、スイッチ調整手段への安定した給電を確保できる。
【００１７】
本発明の第７の態様の給電装置は、第６の態様の給電装置において、
前記高圧始動手段は、ソースが第４の抵抗を介して前記高圧電源に接続され、ゲートが第５の抵抗を介して前記高圧電源に接続され、ドレインが前記スイッチ調整手段に接続された第３のスイッチ部と、負極が前記第３のスイッチ部のゲートに接続され、正極が高圧側リファレンスグランドに接続された第１の電圧安定化部と、一端が前記スイッチ調整手段に接続され、他端が前記電圧安定化部の正極に接続された充電素子とを含むことを特徴とする。
【００１８】
本発明の第７の態様の給電装置によれば、電源投入時に、第１の電圧安定化部が第３のスイッチ部に第１の電圧を提供して第３のスイッチ部をオンにして、充電素子に充電を行い、充電素子がスイッチ調整手段に始動電流及び電圧を提供して、充電素子の電圧が上昇するにつれて第１の電圧が０に降下すると、第３のスイッチ部がオフになる。これにより、制御チップに個別に入力電源を供給することを必要とせずに、高圧回路を使用して回路に始動電圧及び電流を供給することができ、各高電圧デバイスは、使用時に各デバイスの動作電圧に特別な注意を払う必要があり、各信号レベルは、その設定時に独自の使用条件に応じて調整でき、適用性が強い。
【００１９】
本発明の第８の態様の給電装置は、第１の態様の給電装置において、
結合された発光部と受光部とを含む絶縁信号手段と、
第１端が前記出力制御手段に接続され、第２端が前記発光部に接続され、前記発光部を前記出力制御手段の出力レベルに応じて発光させる出力フィードバック手段と、をさらに含み、
前記受光部は、前記スイッチ調整手段に接続され、受信された光信号を電気信号に変換して前記スイッチ調整手段に提供することを特徴とする。
【００２０】
本発明の第８の態様の給電装置によれば、絶縁信号手段を用いて出力フィードバック手段のフィードバック信号をスイッチ調整手段に提供することにより、電源は閉ループ制御を達成でき、電源の出力はより安定して信頼性が高くなる。
【００２１】
本発明の第９の態様の給電装置は、第８の態様の給電装置において、
前記出力フィードバック手段は、前記出力制御手段の前記出力フィルタリング部の出力端に接続され、前記出力フィルタリング部の出力電圧を分圧する分圧部と、前記分圧部の出力電圧を基準電圧とする第２の電圧安定化部と、前記第２の電圧安定化部の負極電圧を調整する電圧調整部と、を含むことを特徴とする。
【００２２】
本発明の第９の態様の給電装置によれば、分圧部は、出力フィルタリング部の出力電圧を分圧して、第２の電圧安定化部に基準電圧を提供する。
【００２３】
本発明の第１０の態様の給電装置は、第８の態様の給電装置において、
前記スイッチ調整手段は、
調整部であって、前記調整部へ供給される始動電圧及び動作電力を受けるための給電入力ポート、前記高圧入力手段からのサンプリング信号を受信するためのサンプリング信号入力ポート、高圧入力手段へスイッチ調整信号を出力するためのスイッチ調整信号出力ポート、前記絶縁信号手段の前記受光部からのフィードバック信号を受信するためのフィードバック信号入力ポート、スイッチ周波数設定ポート及び補償制御ポートを含む調整部と、
一端が前記スイッチ周波数設定ポートに接続され、他端が高圧側リファレンスグランドに接続されたスイッチ周波数設定部と、
一端が前記補償制御ポートに接続され、他端が高圧側リファレンスグランドに接続され、前記スイッチ調整手段に対して補償制御を行う補償制御部と、を含み、
前記絶縁信号手段の前記受光部は、前記スイッチ調整手段の前記フィードバック信号入力ポートに接続されていることを特徴とする。
【００２４】
本発明の第１０の態様の給電装置によれば、調整部は、給電入力ポートを介して電源に接続され、サンプリング信号入力ポートを介して高圧入力手段からのサンプリング信号を受信し、フィードバック信号入力ポートを介して出力フィードバック手段からのフィードバック信号を受け取り、スイッチ調整信号出力ポートを介して高圧入力手段へスイッチ調整信号を出力することにより、高電圧入力手段を閉ループ制御する。スイッチ周波数設定部は、スイッチ調整手段のスイッチ周波数を設定し、補償制御部は、前記スイッチ調整手段を補償制御して、出力電源の安定性を確保する。
【００２５】
本発明の第１１の態様の給電装置は、第３、７、１０の態様のいずれか一項に記載の給電装置において、
前記高圧側リファレンスグランドは、前記高圧電源の高圧入力負極であり、前記低圧側リファレンスグランドは、低圧出力端の低圧出力負極であることを特徴とする。
【００２６】
本発明の第１１の態様の給電装置によれば、絶縁駆動手段の高圧側のリファレンスグランドが高圧電源の高圧入力負極であり、絶縁駆動手段の低圧側のリファレンスグランドが低圧出力端の低圧出力負極であり、高圧側と低圧側との間は電気的に絶縁されている。
【００２７】
本発明の第１２の態様の車両コントローラ用バックアップ電源は、
第１〜第１１の態様のいずれか一項に記載の給電装置と、
コントローラへの正常な給電を確保する場合に、出力イネーブル信号を前記給電装置に出力する制御端と、を含むことを特徴とする。
【００２８】
本発明の第１２の態様の車両コントローラ用バックアップ電源によれば、車両全体の低圧給電が故障してコントローラへの正常給電が確保できなくなった場合、出力イネーブル信号を前記給電装置に出力することができる。給電装置は、当該出力イネーブル信号に応答してバックアップ電源を出力し、給電故障が原因でコントローラが制御不能にならないことを確保する。
【図面の簡単な説明】
【００２９】
【図１】本発明の第１の実施形態を示す模式的なブロック図である。
【図２】本発明の第２の実施形態を示す模式的なブロック図である。
【図３】本発明の具体的な回路構成を示す回路模式図である。
【発明を実施するための形態】
【００３０】
本発明の目的、技術案及び利点が更に明白になるように、以下、図面を参照して、本発明の実施形態について更に詳しく説明する。
【００３１】
［第１の実施形態］
図１は、本発明の第１の実施形態を示す模式的なブロック図である。本発明の第１の実施形態において、給電装置は、高圧入力手段１００、絶縁駆動手段２００、出力制御手段３００、スイッチ調整手段４００、高圧始動手段５００、及び、補助電源手段６００を備える。
【００３２】
図３を参照して、高圧入力手段１００は、抵抗Ｒ８と、コンデンサＣ５と、ダイオードＤ４とを備え、抵抗Ｒ８とコンデンサＣ５とが並列接続されると共に、ダイオードＤ４の負極に接続された吸収回路と、ソースが後述するトランスＴ１の高圧側巻線Ｗ１に接続され、ゲートがスイッチ調整手段４００に接続され、スイッチ調整手段４００からのスイッチ調整信号を受信するためのＭＯＳトランジスタＱ２を備える第１のスイッチ部と、一端がＭＯＳトランジスタＱ２のドレインに接続され、他端が高圧側リファレンスグランドＨＶ−に接続された抵抗Ｒ５と、を含む。
【００３３】
絶縁駆動手段２００は、高圧入力手段１００に繋がる高圧側巻線Ｗ１（入力巻線）と、後述する出力制御手段３００に繋がる低圧側巻線Ｗ２（出力巻線）と、後述する補助電源手段６００に繋がる補助給電巻線Ｗ３とを備えるトランスＴ１を含む。高圧側巻線Ｗ１は、高圧入力手段１００からの高圧電力を低圧電力に変換して後述する出力制御手段３００に出力するように低圧側巻線Ｗ２に結合されている。補助給電巻線Ｗ３も、補助電源手段６００を介してスイッチ調整手段４００に動作電力を供給するように低圧側巻線Ｗ２に結合されている。
【００３４】
電源全体の動作は、フライバック電源トポロジであり、抵抗Ｒ８、コンデンサＣ５、及びダイオードＤ４によって、トランスＴ１の入力巻線のスイッチ吸収回路を形成し、ＭＯＳトランジスタＱ２は、入力回路のスイッチＭＯＳであり、抵抗Ｒ５は、入力回路電流サンプリング抵抗でありながら、スイッチ調整手段４００のチップＵ１に過電流保護入力も提供する。
【００３５】
出力制御手段３００は、出力フィルタリング部、出力部、及び出力イネーブル制御部を含み、トランスＴ１の低圧側巻線Ｗ２から出力された電力に対してフィルタリング及び導通制御を行うために用いられる。
【００３６】
出力フィルタリング部は、ダイオードＤ５とコンデンサＣ６とを備え、そのうち、Ｄ５の正極がトランスＴ１の低圧側巻線Ｗ２に接続され、負極がコンデンサＣ６の正極に接続され、コンデンサＣ６の負極が低圧側リファレンスグランドに接続される。
【００３７】
出力部は、ダイオードＤ６、Ｄ７、抵抗Ｒ１０、及び、ＭＯＳトランジスタＱ４を備える。ダイオードＤ６の正極がダイオードＤ５の負極に接続され、負極がＭＯＳトランジスタＱ４のソースに接続される。ＭＯＳトランジスタＱ４のゲートに後述する出力イネーブル制御部が接続され、ＭＯＳトランジスタＱ４のゲートとソースとの間にダイオードＤ７及び抵抗Ｒ１０が並列接続され、そのうち、ダイオードＤ７の負極がＭＯＳトランジスタＱ４のソースに接続される。出力イネーブル信号ＥＮ＿ＰＳがハイの場合、トランジスタＱ３がオンになり、このとき、ＭＯＳトランジスタＱ４のＶｇｓ＜０となり、Ｑ４がオンになり、出力電源回路がオンになり、コントローラに給電できる。また、ダイオードＤ６及びＭＯＳトランジスタＱ４は、バックアップ電源の単相電力供給を制御する機能を果たし、正常な給電電流の逆流を防止する。
【００３８】
出力イネーブル制御部は、トランジスタＱ３と、抵抗Ｒ１１〜Ｒ１３とを備える。トランジスタＱ３は、ゲートが抵抗Ｒ１３を介してイネーブル信号入力端子に接続され、ソースが抵抗Ｒ１１を介して上記第２のスイッチ部のゲートに接続され、ドレインが低圧側リファレンスグランドに接続され、ゲートとドレインとの間に抵抗Ｒ１２が接続される。トランジスタＱ３のゲートによって受信された出力イネーブル信号ＥＮ＿ＰＳがハイの場合、トランジスタＱ３がオンになり、抵抗Ｒ１１の両端に電位差が形成され、これによりＭＯＳトランジスタＱ４のゲートに導通レベルが提供され、ＭＯＳトランジスタＱ４がオンになり、トランスＴ１の低圧側巻線Ｗ２からの低圧電源がバックアップ電源として出力される。
【００３９】
スイッチ調整手段４００は、調整チップＵ１、スイッチ周波数設定部、及び補償制御部を含む。調整チップＵ１は、調整チップＵ１へ供給される電力を受けるための給電入力ポートＶＩＮと、高圧入力手段１００のＭＯＳトランジスタＱ２のドレインに接続され、高圧入力手段１００からのサンプリング信号を受信するためのサンプリング信号入力ポートＩＳＥＮと、高圧入力手段１００のＭＯＳトランジスタＱ２のゲートに接続され、高圧入力手段１００へスイッチ調整信号を出力するためのスイッチ調整信号出力ポートＤＲと、スイッチ周波数設定部である抵抗Ｒ１に接続されるスイッチ周波数設定ポートＦＡ／ＳＤと、補償制御部の一端が接続された補償制御ポートＣＯＭＰ、ＡＧＮＤ、ＰＧＮＤと、を備える。調整チップＵ１の回路構成及び動作原理が周知であり、ここでは繰り返して説明しない。スイッチ周波数設定部における抵抗Ｒ１は、調整チップＵ１のスイッチ周波数を設定するために用いられる。補償制御部は、抵抗Ｒ２、コンデンサＣ１、Ｃ２を含む外部補償制御回路である。図３に示すように、補償制御部は、一端が補償制御ポートＣＯＭＰ、ＡＧＮＤ、ＰＧＮＤに接続され、他端が高圧側リファレンスグランドに接続される。
【００４０】
図３に示すように、高圧始動手段５００は、ＭＯＳトランジスタＱ１、抵抗Ｒ３、Ｒ４、電圧安定化ダイオードＤ１、及び、コンデンサＣ３を含む。ＭＯＳトランジスタＱ１は、ソースが抵抗Ｒ４を介して高圧電源の高圧入力ＨＶ＋に接続され、ゲートが抵抗Ｒ３を介して高圧電源の高圧入力ＨＶ＋に接続され、ドレインが調整チップＵ１の給電入力ポートＶＩＮに接続される。電圧安定化ダイオードＤ１は、負極がＭＯＳトランジスタＱ１のゲートに接続され、正極が高圧側リファレンスグランドに接続される。コンデンサＣ３は、一端が調整チップＵ１の給電入力ポートＶＩＮに接続され、他端が電圧安定化ダイオードＤ１の正極に接続される。
【００４１】
補助電源手段６００は、ダイオードＤ２、Ｄ３及びコンデンサＣ４を含む。図３に示すように、ダイオードＤ３及びコンデンサＣ４によって、補助フィルタリング部が構成され、その第１端がトランスＴ１の補助給電巻線Ｗ３に接続され、トランスＴ１から供給された補助電源に対してフィルタリングを行うために用いられる。ダイオードＤ２は、正極が補助フィルタリング部に接続され、負極が調整チップＵ１の給電入力ポートＶＩＮに接続され、トランスＴ１から供給された補助電源を調整チップＵ１に提供すると共に、高圧始動手段５００からの電力がトランスＴ１に流れるのを防止する。
【００４２】
ここで、高圧側リファレンスグランドＨＶ−は、上記高圧電源の高圧入力負極であり、上記低圧側リファレンスグランドＧＮＤは、低圧出力端の低圧出力負極である。
【００４３】
以下、第１の実施形態の給電装置の動作プロセス及び効果を説明する。
【００４４】
電源投入時に、電圧安定化ダイオードＤ１は、ＭＯＳトランジスタＱ１のゲートに導通電圧Ｖｇｓを提供してＭＯＳトランジスタＱ１をオンにし、高圧電源の高圧入力ＨＶ＋は、抵抗Ｒ４を介してコンデンサＣ３を充電する。コンデンサＣ３は、調整チップＵ１の給電入力ポートＶＩＮへ始動に必要な過渡始動電流及び電圧を提供する。給電入力ポートＶＩＮの電圧が徐々に上昇してＶｇｓ＝０になると、ＭＯＳトランジスタＱ１も、オンから完全にオフになる傾向がある。
【００４５】
出力イネーブル信号がハイの場合だけ、バックアップ電源のメイン出力回路がオンになり、コントローラへのバックアップ電源出力の供給を開始する。
【００４６】
調整チップＵ１が始動すると、スイッチ調整信号出力ポートＤＲからＭＯＳトランジスタＱ２のゲートに導通電圧が出力され、ＭＯＳトランジスタＱ２がオンになり、高圧電源からの高圧入力ＨＶ＋がトランスＴ１の高圧側巻線Ｗ１を流れる。このとき、トランスＴ１の高圧側巻線Ｗ１に結合された低圧側巻線Ｗ２には、当該高圧入力ＨＶ＋を低圧出力Ｌｏｕｔに変換する電流が流れ、当該低圧出力Ｌｏｕｔの電流は、ダイオードＤ５とコンデンサＣ６とで構成された出力フィルタリング部及び単方向導通となるダイオードＤ６を通過してＭＯＳトランジスタＱ４のソースに流れる。
【００４７】
電気機器のコントローラの低圧給電が正常な場合、バックアップ電源のメイン出力が働かず、その同時に、外部低圧給電電源の負荷が増加しない。このとき、バックアップ電源が低消費電力状態となる。
【００４８】
外部から受信された出力イネーブル信号ＥＮ＿ＰＳがハイの場合、トランジスタＱ３がオンになり、ＭＯＳトランジスタＱ４のゲートに導通電圧が印加され、ＭＯＳトランジスタＱ４がオンになる。これにより、バックアップ電源のメイン出力回路がオンになり、ＭＯＳトランジスタＱ４のドレインからの出力Ｌｏｕｔがバックアップ電源出力として外部のコントローラに供給され始める。
【００４９】
バックアップ電源のメイン出力回路がオンになると、低圧出力Ｌｏｕｔの電流がトランスＴ１の低圧側巻線Ｗ２を流れ、当該低圧側巻線Ｗ２に結合された補助給電巻線Ｗ３に誘導電流が発生する。当該誘導電流は、ダイオードＤ３及びコンデンサＣ４で整流され、ダイオードＤ２を介して調整チップＵ１の動作電流として調整チップＵ１の給電入力ポートＶＩＮに供給される。これにより、調整チップＵ１が動作し始めると、調整チップＵ１に安定した給電入力が提供され、調整チップＵ１への安定した電力供給が確保される。
【００５０】
したがって、第１の実施形態の給電装置によれば、コントローラの低圧給電が正常な場合、給電装置のメイン出力が働かず、それと同時に、低圧給電電源の負荷が増加しなく、給電装置が低消費電力状態となる。制御出力イネーブル信号が与えられると、給電装置のメイン出力回路がオンになる。このとき、別個の入力電源を配置せずに調整チップＵ１に安定した給電入力を提供することができ、調整チップへの安定した給電を確保すると共に、給電装置の構造をよりコンパクトにすることができる。
【００５１】
［第２の実施形態］
図２は、本発明の第２の実施形態を示す模式的なブロック図である。図２、図３を参照して、第２の実施形態について説明する。
【００５２】
第２の実施形態は、給電装置に、出力フィードバック手段７００及び絶縁信号手段８００が更に設けられ、スイッチ調整手段４００に抵抗Ｒ６、Ｒ１７及びコンデンサＣ８が更に設けられ、調整チップＵ１がフィードバック信号入力ポートＦＢをさらに有する点で、第１の実施形態と異なっている。第２の実施形態における第１の実施形態と同様の構成について同一の符号を付して、その説明を省略する。
【００５３】
絶縁信号手段８００は、結合された発光部と受光部とを含むフォトカプラＵ２を含む。出力フィードバック手段７００は、抵抗Ｒ７、Ｒ９、Ｒ１４〜Ｒ１６、Ｒ１８、コンデンサＣ７、及び、レギュレータＵ３を備える。図３に示すように、レギュレータＵ３は、三端子シャントレギュレータであり、抵抗Ｒ７、Ｒ９、Ｒ１５、Ｒ１６、Ｒ１８を介して出力制御手段３００に接続される。そのうち、レギュレータＵ３の１番ピンが電流調整抵抗Ｒ９を介して抵抗Ｒ７に接続され、２番ピンが電流制限抵抗Ｒ１６を介して分圧抵抗Ｒ１５、Ｒ１８に接続され、３番ピンが低圧側リファレンスグランドに接続される。抵抗Ｒ７の一端がダイオードＤ６の正極に接続され、他端がフォトカプラＵ２の発光部に接続され、そのフォトカプラＵ２の入力として機能する。
【００５４】
抵抗Ｒ６、Ｒ１７及びコンデンサＣ８によってフィードバック回路が構成されている。当該フィードバック回路によって、フォトカプラＵ２の受光部からの電気信号を受けて、調整チップＵ１のフィードバック信号入力ポートＦＢに伝送する。
【００５５】
以下、第２の実施形態に特有の給電装置の動作プロセス及び効果を説明する。
【００５６】
高圧入力手段１００、絶縁駆動手段２００、出力制御手段３００、高圧始動手段５００及び補助電源手段６００は、第１の実施形態と同様であり、ここでは説明を省略する。
【００５７】
給電装置のメイン出力回路がオンになると、低圧出力Ｌｏｕｔは、分圧抵抗Ｒ１５、Ｒ１８を介してレギュレータＵ３の２番ピンに基準電圧を提供する。低圧出力Ｌｏｕｔが変化すると、当該基準電圧が変化し、それに応じてレギュレータＵ３の１番ピン、３番ピンを通過可能な電流も変化する。このとき、フォトカプラＵ２の入力端を通過する電流が変化する。
【００５８】
フォトカプラＵ２の発光部は、そのフォトカプラＵ２の入力端の電流変化が反映された電気信号を光信号に変換して発する。受光部は、発光部から発された光信号を受信して、再び電気信号に変換して出力フィードバック信号とすることにより、高電圧と低電圧とが絶縁された回路において、低圧側の電気信号を、電気的に絶縁するように高圧側に伝送する。
【００５９】
当該出力フィードバック信号は、フィードバック回路を介して調整チップＵ１のフィードバック信号入力ポートＦＢに伝送されるため、電源は閉ループ制御を達成でき、電源の出力はより安定して信頼性が高くなる。
【００６０】
上記したのは、あくまでも本発明の好ましい実施例であり、本発明の保護範囲を限定するものではない。本発明の精神及び原則の範囲内になされたいかなる補正、均等的置換、改善等は、いずれも本発明の保護範囲内に含まれるものとする。
【符号の説明】
【００６１】
１００・・・高圧入力手段、２００・・・絶縁駆動手段、３００・・・出力制御手段、４００・・・スイッチ調整手段、５００・・・高圧始動手段、６００・・・補助電源手段、７００・・・出力フィードバック手段、８００・・・絶縁信号手段、Ｒ１〜Ｒ１８・・・抵抗、Ｃ１〜Ｃ８・・・コンデンサ、Ｄ１〜Ｄ７・・・ダイオード、Ｑ１、Ｑ２、Ｑ４・・・ＭＯＳトランジスタ、Ｑ３・・・トランジスタ、Ｕ１・・・調整チップ、Ｕ２・・・フォトカプラ、Ｕ３・・・レギュレータ、Ｔ１・・・トランス、ＨＶ＋・・・高圧入力、ＨＶ−・・・高圧側リファレンスグランド、Ｌｏｕｔ・・・低圧出力、ＧＮＤ・・・低圧側リファレンスグランド、ＥＮ＿ＰＳ・・・出力イネーブル信号、ＶＩＮ・・・給電入力ポート、ＤＲ・・・スイッチ調整信号出力ポート、ＩＳＥＮ・・・サンプリング信号入力ポート、ＦＢ・・・フィードバック信号入力ポート、ＦＡ／ＳＤ・・・スイッチ周波数設定ポート、ＣＯＭＰ、ＡＧＮＤ、ＰＧＮＤ・・・補償制御ポート。
【図１】
2021512581.tif 000003
【図２】
2021512581.tif 000004
【図３】
2021512581.tif 000005
【国際調査報告】
2021512581.tif 000006
2021512581.tif 000007
2021512581.tif 000008
2021512581.tif 000009
2021512581.tif 000010